(57)【特許請求の範囲】
【請求項１】
分解可能に組立てられた骨格体の上に、シンクカウンター，コンロカウンター，平板状の作業カウンター等の複数の種類のカウンターパネルが左右方向に配列され組付けられてなる台所構造であって、
分解された前記骨格体のそれぞれ、及び前記複数のカウンターパネルのそれぞれは集合住宅用エレベーターに搬入可能な大きさで、
前記骨格体は、
前後方向に延びるように配置される複数の縦フレームと、
隣接する一組の前記縦フレーム間に配置され左右方向に延びるように配置される複数の棒体と複数の横フレームを備えてなり、
前記シンクカウンターとコンロカウンターの間に作業カウンターが配置され、
前記作業カウンターの下方に配置された骨格体が備える複数の棒体と横フレームは左右方向の長さを調整可能で、前記作業カウンターの下方に配置された骨格体についてだけ切断することなく左右方向の長さを調整可能にしたことを特徴とするリフォーム用台所構造。
【請求項２】
前記シンクカウンター及び前記コンロカウンターを、前記作業カウンターの左右端部の上に重ねるように配置し、その重ねてなる重ね代によっても左右方向の長さを調整可能としたことを特徴とする請求項１に記載のリフォーム用台所構造。
【請求項３】
前記シンクカウンター及び前記コンロカウンターは人工大理石製又はステンレス製であり、前記作業カウンターは木製であることを特徴とする請求項１又は２に記載のリフォーム用台所構造。
【発明の詳細な説明】
【技術分野】
【０００１】
本発明は、分解可能な骨格体の上に複数の種類のカウンターパネル等が左右方向に配列され組付けられてなる台所構造に関するものである。
【背景技術】
【０００２】
住宅、特に集合住宅の台所関係の工事に関して、新築工事の際は、間回の広い荷物用エレベーター（幅６ｍ程度）や固定式クレーン等を使用した搬入が可能で、サイズ上の規制は少なく、効率の良い作業が可能である。例えば、全長２７００ｍｍ程度の大型のカウンターを有する台所であっても、特に大きな問題もなく搬入及び設置が可能である。
【０００３】
また、施工作業は、新築工事現場なので、知識と経験のある施工業者が実施し、詳細な設計図に基づいて整然と行われる。さらに、未入居の状態なので、室内に家具その他の生活用品等も存在せず、これらが通路を狭めて、作業や搬入の邪魔となる事も無い。全てが作業工程として計画され、工程管理が行われるので無駄が無い。
【０００４】
このようにして完成した集合住宅に居住者が住み始めて５〜１０年程度経過すると、家族構成の変化やライフスタイルの変化、設備機器の老朽化・陳腐化等で不満が生じ、リフォームを実施する家庭が増えてくる。
【０００５】
リフォームに関して、台所は住宅の中でも最も希望がある場所の一つである。その理由として、特に水栓、食器洗浄機、ガスコンロ等の加熱器、換気扇等は比較的製品寿命が短く、油煙、水分による黴、その他による汚染や破損もあるので、主婦の要望が強い場所という事もあって、居室以上にリフォームの要求が高い。
【０００６】
リフォームに際しては、まず旧設備の解体撤去を行った上で、新設備の搬入と設置が必要となる。従って、新築時の約２倍に相当する量の廃材の搬出や新設備の搬入を行う事になる。既述のように、新築工事の際は、資材搬入上の障害も少なく、間口の広い荷物用エレベーター（幅６ｍ程度）やクレーンの使用も可能な上に、他に入居者も居ないので効率良く作業が可能である。しかも、新築時は搬入が大半で、搬出は取り外した梱包材や現場合わせで切断した端材程度である。
【０００７】
一方、リフォームを実施する頃には、これらの資材搬入に好都合な荷物用エレベーター等の設備は既に無い。リフォーム依頼者が一旦、転居して空き家状態でリフォームを行う場合は比較的障害は少ないものの、通常はリフォーム依頼者自ら、及び集合住宅の他の入居者が共に生活を継続している建物内にて、家具等で通路が狭まった状態で工事を行う場合が多いので、新築時には考えられない程多くの制約がある。
【０００８】
まず問題となるのが、リフォームに先立って行われる解体廃材の搬出である。そのままの形状で搬出される場合もあるが、一般には搬出を容易とする為に、搬出に適したサイズに予め裁断し、たとえば台所のカウンターパネル（天板）は、設置時に長さ２７００ｍｍあっても、電動丸鋸や金属カッター等を使用して１０００ｍｍ程度の手で持ち運び可能なサイズにまで裁断するので、簡単な手押し台車に積み、乗用エレベーターを使用して搬出可能である。同様に、下部構造であるボックス部分もドライバーやハンマー、バール、鋸等で裁断すれば、特に大きな支障も無く搬出可能である。
【０００９】
このようにして、旧設備の解体と搬出が完了すると、いよいよ新設備の搬入を行う。従来のシステムキッチンを図４に示したが、通常、下部構造は組立て済みの箱状ユニット１５と一体型カウンターパネル１５から構成されている。
特に問題なのは一体型カウンターパネル１５であり、一般的なサイズで２１００ｍｍ、長いタイプだと２７００ｍｍもあって、通常はシンク１６が予め一体化されている。又、コンロ取付孔１７もある。このように、一体型カウンターパネル１５は嵩張って運搬し難く、通常の集合住宅用エレベーターでの搬入は困難を極めるのが日常茶飯事であった。
【００１０】
又、箱状ユニット１４も内部は空間であり、フラッシュ構造であれば重量の面ではあまり問題無いものの、一人では運搬し難く、１名での運搬は壁やドア等に衝突して破損する可能性が高いので、通常は無駄を承知で２名１組で運搬する場合が多かった。更に、現場でのレイアウトの変更は基本的に無理であった。サイズ合わせも長すぎる場合は鋸１８等での切断、逆に短すぎる場合はフィラー１９等の隙間塞ぎ板の利用が不可欠であった。
【００１１】
一方、新設備搬入の際は予め廃材のように裁断する訳にもいかず、製品のままで傷が付かないように慎重に搬入を行わざるを得ない。しかも、傷防止の為に段ボール等で梱包された状態での搬入は、製品サイズより一回り大型化している場合が多い。
又、特に集合住宅では、使用可能なエレベーターは乗用タイプのみで、一般的な６人用の場合、カゴの床面は１０５０ｍｍ×１１５０ｍｍ、天井高さは２２００ｍｍ程度とされている。従って、乗用エレベーターでの運搬可能なサイズは、梱包状態ではカゴ内に斜めに入れたとしても、最長で２１００〜２２００ｍｍ程度が限界であり、梱包を外したとしても限界が１００〜２００ｍｍ程度大きくなる程度である。
【００１２】
集合住宅の２〜３階程度の低層階の場合は、階段やロープを使用した人力搬入、小型移動式クレーン車を使用した搬入といった方法も、一部で可能ではあるものの、高層階ではこれらの方法は無理で、事実上、乗用エレベーターを利用した搬入以外の選択肢は無い。
【００１３】
乗用エレベーターに関しては、本来、人が利用する事を前提に考えられているので、前述のようなサイズとされているが、実際には、監視カメラ、装飾的な照明器具、掲示物、手摺、操作パネル、鏡といった破損し易い突出物が多数設置されており、更に空間のサイズは狭められているのが実情である。又、資材運搬中でも集合住宅の他の居住者が同乗する場合も考えられ、資材運搬専用として長時間独占使用する事は許されない。
【００１４】
ここで、集合住宅用エレベーターで搬入を容易にするために、シンクやコンロをユニットごとに分離した構造も知られている（例えば、特許文献１参照）。
【先行技術文献】
【特許文献】
【００１５】
【特許文献１】特許第５０６２８２３号公報
【発明の概要】
【発明が解決しようとする課題】
【００１６】
しかしながら、特許文献に記載の発明は、単にカウンターパネル部分を分割するに留まり、エレベーターでの運搬に際してカウンター部分の運搬が楽になる程度である。しかも単なる分割であるので、組み立てたときに接合部分が明瞭な線として残ってしまうので、これでは一時代前のセクショナルキッチンと変わらなくなってしまうという課題がある。
【００１７】
また、リフォーム現場に到着しても、そのままのサイズで寸分の狂いもなく旧設備撤去跡に一致する事は殆ど無い。というのも、一般にリフォーム現場は正確な図面が無い場合が大半であって、もし、有ったとしても、その後のリフォーム等によって改変されている場合もあって、結局、現場での小手直しは不可欠と考えられる。例えば、壁材を貼り足した場合、寸法が１０〜２０ｍｍ程度狭まっている場合もある。そこで、鋸、ドリル、鉋、その他の工具類を使用し、寸法を合わせる修正作業が不可欠である。隙間が生じた場合は、コーキングや各種見切材の使用が欠かせない。これら修正作業は、技術や経験が必要で、専門業者といえども熟練者と初心者とでは仕上がりに大きな差が生じてしまう。
【００１８】
さらに、現場での手直しの際にはカウンターパネルの端部を切断するという大変な作業が必要で、鋸、鉄鎚、鑿、ドリル、サンダーといった工具が用いられるが、これらは端材のゴミや騒音・ホコリ等の発生を伴う。しかも、いずれも刃物であるので、熟練作業者であれば問題無くても、ＤＩＹ初心者には極めて危険な作業でもある。
特に、ＤＩＹについてみると、本業終了後の夜間に住みながら作業を行う事も考えられるが、夜間の騒音規制が厳しいのは集合住宅の常識であり、平日の夜間に少しずつ作業を行うといつた事も事実上不可能である。
【００１９】
そこで、本発明の目的とするところは、リフォーム時に室内に搬入が容易で、しかも接合部分がデザイン上問題にならないリフォーム用台所構造を提供することにある。また他の目的として、寸法調整を行い易いリフォーム用台所構造を提供する。
【課題を解決するための手段】
【００２０】
上記の目的を達成するために、本発明の記載のリフォーム用台所構造は、分解可能に組立てられた骨格体（５）の上に、シンクカウンター（２），コンロカウンター（３），平板状の作業カウンター（１）等の複数の種類のカウンターパネル（４）が左右方向に配列され組付けられてなる台所構造であって、
分解された前記骨格体（５）のそれぞれ、及び前記複数のカウンターパネル（４）のそれぞれは集合住宅用エレベーターに搬入可能な大きさで、
前記骨格体（５）は、
前後方向に延びるように配書される複数の縦フレーム（１２Ａ）と、
隣接する一組の前記縦フレーム（１２Ａ）間に配置され左右方向に延びるように配置される複数の棒体（１１）と複数の横フレーム（１２Ｂ）を備えてなり、
前記シンクカウンター（２）とコンロカウンター（３）の間に作業カウンター（１）が配置され、
前記作業カウンター（１）の下方に配置された骨格体（５）が備える複数の棒体（１１）と横フレーム（１２Ｂ）は左右方向の長さを調整可能で、前記作業カウンター（１）の下方に配置された骨格体（５）についてだけ切断することなく左右方向の長さを調整可能にしたことを特徴とする。
【００２５】
また、本発明のリフォーム用台所構造は、前記シンクカウンター（２）及び前記コンロカウンター（３）を、前記作業カウンター（１）の左右端部の上に重ねるように配置し、その重ねてなる重ね代で左右方向の長さを調整可能としたことを特徴とする。
また、本発明のリフォーム用台所構造は、前記シンクカウンター（２）及び前記コンロカウンター（３）は人工大理石製又はステンレス製であり、前記作業カウンター（１）は木製であることを特徴とする。
【００２９】
ここで、上記括弧内の記号は、図面および後述する発明を実施するための形態に掲載された対応要素または対応事項を示す。
【発明の効果】
【００３０】
本発明によれば、分解された骨格体のそれぞれ、及び複数のカウンターパネルのそれぞれは集合住宅用エレベーターに搬入可能な大きさであるので、リフォームであっても室内に搬入が容易である。
容易に搬入できるので、集合住宅用エレベーターを搬入のために長時間専有しなくて済み、また集合住宅前での長時間トラックを駐車しなくて済む。
【００３１】
また、複数のカウンターパネルは、その種類ごとに構成する材料が選択され、複数のカウンターパネルは少なくとも二以上の材料で構成されるので、カウンターパネル同士の接合部分が、デザイン上問題のある本来は見せたくない線として表れるのではなく、材料の切り替わりの境界として表れるので、その接合部分が美観を損ねることはない。特に、隣接するカウンターパネルは互いに異なる材料で構成されるときにはカウンターパネル同士の接合部分を気にしなくて済む。
また、一人でも作業可能な大きさであるので、例えば一般ユーザーがＤＩＹで組み立てることもできる。
【００３２】
また、本発明によれば、骨格体の左右方向の長さを複数の棒体において調整可能とし、特に、シンクカウンター及びコンロカウンターを、作業カウンターの左右端部の上に重ねるように配置し、その重ねてなる重ね代で左右方向の長さを調整可能としたので、寸法調整が必要な場合がほとんどであるリフォーム現場において、寸法調整が容易である。
この寸法調整のとき、カウンターパネルの切断をしなくて済むので、ゴミの発生は少なく、刃物による怪我の心配もほとんど無く、しかも騒音もほとんど発生しない。
よって、一般ユーザーがＤＩＹで、例えば本業終了後の夜間に少しずつリフォーム作業を行うこともできる。
【００３３】
また、複数の棒体を切断することなく左右方向の長さを短縮可能なサイズ調整機構を設けた場合には、さらに寸法調整が容易で、ゴミの発生が無く、怪我のおそれも無く、騒音も発生し難い。
【００３４】
なお、本発明のリフォーム用台所構造のように、分解された骨格体のそれぞれ及び複数のカウンターパネルのそれぞれが集合住宅用エレベーターに搬入可能な大きさで、しかも複数のカウンターパネルが少なくとも二以上の材料で構成される点は、上述した特許文献１には全く記載されていない。
【図面の簡単な説明】
【００３５】
【図１】本発明の実施形態に係るリフォーム用台所構造を示す分解平面図である。
【図２】本発明の実施形態に係るリフォーム用台所構造のうち骨格体を示す分解斜視図である。
【図３】本発明の実施形態に係るリフォーム用台所構造を示す斜視図である。
【図４】従来例に係るリフォーム用台所構造を示す斜視図である。
【発明を実施するための形態】
【００３６】
図１乃至図３を参照して、本発明の実施形態に係るリフォーム用台所構造を説明する。
このリフォーム用台所構造は、分解可能な骨格体５の上に、シンクカウンター２，コンロカウンター３，平板状の作業カウンター１等の複数の種類のカウンターパネル４が左右方向に配列され組付けられてなる。
【００３７】
骨格体５は、縦フレーム１２Ａ，横フレーム１２Ｂ，及び棒体１１からなり、それぞれが複数ある。縦フレーム１２Ａ，横フレーム１２Ｂ，及び棒体１１の状態で施工現場へ搬入され、施工現場において螺子等の接合手段（図示せず）を用いて立体的な箱状態に組み立てる。
縦フレーム１２Ａ，横フレーム１２Ｂ，及び棒体１１はそれぞれが長さ１０００ｍｍ以内の角パイプが用いられており、集合住宅用エレベーターに搬入可能な大きさである。この集合住宅用エレベーターとは、集合住宅建築中の資材運搬用エレベーターではなく、入居者を運ぶためのものである。
【００３８】
縦フレーム１２Ａ及び横フレーム１２Ｂは、それぞれ「口」「日」「田」「目」の形に組んだ枠材であり、縦フレーム１２Ａは側板のように前後方向に延びるように配置されるとともに、横フレーム１２Ｂは左右方向に延びるように、隣接する縦フレーム１２Ａ間に配置される。
このように枠材として組まれた状態で施工現場へ搬入される。
横フレーム１２Ｂのうち、作業カウンター１の下方に配置されるものは入れ子式で伸縮自在になっている。
【００３９】
棒体１１は、角パイプ（単管）であり、左右方向に延びるように隣接する縦フレーム１２Ａ間に配置される。棒体１１のうち、作業カウンター１の下方に配置されるものは入れ子式で伸縮自在になっている。一方、シンクカウンター２及びコンロカウンター３の下方に配置されるものは角パイプそのものである。
現場で長さ調整が必要な場合は、作業カウンター１下方の横フレーム１２Ｂ及び棒体１１の入れ子式部分で左右方向の長さを調整する。
【００４０】
カウンターパネル４は、シンクカウンター２，コンロカウンター３，及び二枚の平板状の作業カウンター１からなる。
複数のカウンターパネル４のそれぞれも骨格体５と同様に、集合住宅用エレベーターに搬入可能な大きさである。
複数のカウンターパネル４は、その種類ごとに構成する材料が選択され、複数のカウンターパネル４は少なくとも二以上の材料で構成される。
本実施形態においては、シンクカウンター２及びコンロカウンター３はステンレス製であり、作業カウンター１は木製（集成材）である。
ここで、図１や図３においては、左側から順にコンロカウンター３、作業カウンター１、シンクカウンター２、作業カウンター１であるので、ステンレスと木が交互に配置され、隣接するカウンターパネル４は互いに異なる材料で構成されることとなる。
そして、シンクカウンター２及びコンロカウンター３を、作業カウンター１の左右端部の上に重ねるように配置し、その重ねてなる重ね代で左右方向の長さを調整可能とした。
【００４１】
なお、シンクカウンター２は、シンク本体６と周囲の平坦部分７のいずれにも絶えず水がかかるので、ステンレスや人工大理石での一体成型、或いはシンク本体６はステンレス、周囲の平坦部分は人工大理石といった風に材質を変えても良い。
また、コンロカウンター３は、コンロ本体の発する熱の他に、調理の際に飛散する水や高温の油等に晒されるので、最も耐久性に優れたステンレスが好ましいが、人工大理石でも良い。一部に取付孔８が穿孔されていて、ここにガスコンロ９やＩＨコンロ１０を設置する。
なお、シンクとコンロは分けて考えたが、取付孔８のサイズを共通化して、ここにガスコンロ９やＩＨコンロ１０の他に、シンク本体６まで取り付けられるようにすれば、一層共通化が図れる。
【００４２】
また、作業カウンター１の材質は、人工大理石、ステンレス、集成材等の木質板、タイル、その他が用いられるが、水や火、油といった劣化を引き起こす原因に直接晒されないので、自由度は広い。
そして、骨格体５にカウンターパネル４を装着し、配管配線等（図示せず）を行って完成する。
必要に応じて、これらの部材間に板材を差し渡して棚板としても良い。今回の実施例では敢えて扉や側板は設けず、スケルトン状態であるが、扉や側板を設けて従来と同様の外観としても良い。
完成した状態を図３に示す。この場合、シンクカウンター２はシンク本体６と一体成型されている。又、コンロカウンター３はガスコンロ９やＩＨコンロ１０取り付け前の取付孔８が開いた状態を示す。
【００４３】
以上のように構成されたリフォーム用台所構造によれば、分解された骨格体５のそれぞれ、及び複数のカウンターパネル４のそれぞれは集合住宅用エレベーターに搬入可能な大きさであるので、リフォームであっても室内に搬入が容易である。
容易に搬入できるので、集合住宅用エレベーターを搬入のために長時間専有しなくて済み、また集合住宅前での長時間トラックを駐車しなくて済む。
【００４４】
また、複数のカウンターパネル４は、その種類ごとに構成する材料が選択され、複数のカウンターパネル４は少なくとも二以上の材料で構成されるので、カウンターパネル４同士の接合部分が、デザイン上問題のある本来は見せたくない線として表れるのではなく、材料の切り替わりの境界として表れるので、カウンターパネル４同士の接合部分が美観を損ねることはない。特に、隣接するカウンターパネル４は互いに異なる材料で構成したので、カウンターパネル４同士の接合部分を気にしなくて済む。
また、一人でも作業可能な大きさであるので、一般ユーザーがＤＩＹで組み立てることもできる。
【００４５】
さらに、骨格体５の左右方向の長さを調整可能とし、シンクカウンター２及びコンロカウンター３を、作業カウンター１の左右端部の上に重ねるように配置し、その重ねてなる重ね代で左右方向の長さを調整可能としたので、寸法調整が必要な場合がほとんどであるリフォーム現場において、寸法調整が容易である。
この寸法調整のとき、カウンターパネル４の切断をしなくて済むので、ゴミの発生は少なく、刃物による怪我の心配もほとんど無く、しかも騒音もほとんど発生しない。
よって、一般ユーザーがＤＩＹで、例えば本業終了後の夜間に少しずつリフォーム作業を行うこともできる。
【００４６】
また、入れ子式にして複数の棒体１１等を切断することなく左右方向の長さを短縮可能にしたので、さらに寸法調整が容易で、ゴミの発生が無く、怪我のおそれも無く、騒音も発生し難い。
【００４７】
なお、本実施形態において、角パイプを入れ子式にすることで左右方向の長さを伸縮自在（短縮可能）としたが、これに限られるものではなく、切断することで左右方向の長さを短縮してもよい。
また、伸縮させる可能性のある箇所は、横フレーム１２Ｂを配置せずに全て棒体１１で対応してもよい。
【００４８】
また、全ての構成部材のサイズを基本的に１０００ｍｍ以内としたが、これに限られるものではなく、最大で２０００ｍｍ以内であればよい。このサイズは一人で無理なく運搬可能であり、しかも、集合住宅用エレベーターのような限られた空間に無駄なく搬入可能なサイズである。
【００４９】
さらに、左右方向に伸縮可能としたが、これに限られるものではなく、各構成部材が住宅用エレベーターに搬入可能な大きさで、カウンターパネル４が二以上の材料で構成されるだけで、接合部分がデザイン上問題になることなく搬入を容易にするという目的は達成することができる。
【００５０】
また、台所構造に限られるものではなく、収納棚が分解可能な骨格体の上に左右に配列され組付けられてもよい。このように収納構造であってもリフォーム時に搬入容易で寸法調整も容易であるので、リフォームに好適である。
この収納棚とは、台所上部の収納である吊り戸棚、テーブル、作業台等の台所用の収納である。
さらに、ここで言うテーブルとは、ダイニングキッチンに独立して置かれる通常のテーブルや対面キッチンのテーブルではなく、コンロカウンター等のカウンターパネルに連続して設けられたテーブルのことであり、また作業台とは、コンロやシンク等とは独立した作業台のことである。
【００５１】
なお、これらの構造はリフォームに適しているが、新築時における使用を妨げるものではない。
【００５２】
また縦フレーム１２Ａは、「目」型や「日」型のような枠に加えてその枠間である空隙にパネルを組み込んでその空隙を埋めてもよい。これにより、住宅の耐力壁の構造のようになるので、縦フレーム１２Ａの強度が向上する。このパネルは一組の台所において全ての縦フレーム１２Ａに組み込まれてもよいし、一部の縦フレーム１２Ａに組み込むものであってもよい。
【符号の説明】
【００５３】
１      作業カウンター
２      シンクカウンター
３      コンロカウンター
４      カウンターパネル
５      骨格体
６      シンク本体
７      周囲の平坦部分
８      取付孔
９      ガスコンロ
１０      ＩＨコンロ
１１      棒体
１２Ａ    縦フレーム
１２Ｂ    横フレーム
１３      棚板
１４      箱状ユニット
１５      一体型カウンターパネル
１６      シンク
１７      コンロ取付孔
１８      鋸
１９      フィラー
【図１】
0006775936.tif 000002
【図２】
0006775936.tif 000003
【図３】
0006775936.tif 000004
【図４】
0006775936.tif 000005